(57)【要約】【課題】編集時に選択したデータとリストに記載されている編集対象となるデータとが相違することを報知可能な編集装置、編集システム及び編集方法を提供すること。【解決手段】編集装置が、番組で使用される映像素材を識別するための識別子、内容を示す情報、撮影日時、撮影場所を示す情報がそれぞれ対応付けられた第１のメタデータを含み、放送素材の編集内容を示すリストと、映像素材を識別するための識別子、内容を示す情報、撮影日時、撮影場所を示す情報がそれぞれ対応付けられた第２のメタデータの一覧とを表示する表示部と、前記第２のメタデータと、第１のメタデータとを比較する手段と、第１、第２のメタデータが対応しなかった場合、警告を報知する報知部とを備える。【選択図】図５
2010219771.tif 000002
【特許請求の範囲】
【請求項１】
番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信する第1の受信部と、
サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示する第１の送信部と、
前記サーバ装置から送信された第２のメタデータを受信する第２の受信部と、
前記受信した第２のメタデータの一覧と、前記リストを表示する表示部と、
前記表示部に表示された第２のメタデータの一覧の中の１の第２のメタデータを選択する選択手段と、
前記選択手段によって１の第２のメタデータが選択されたことに対応して、前記選択された第２のメタデータと、前記リストの中の第１のメタデータとを比較する手段と、
前記比較の結果、前記第１、第２のメタデータが対応しなかった場合、警告を報知する報知部と
を備えることを特徴とする編集装置。
【請求項２】
前記選択手段によって１の第２のメタデータが選択されたことに対応して、前記選択された第２のメタデータの識別子に対応し、前記リストに含まれる１の第１のメタデータを検出する検出部をさらに備え、
前記比較する手段が、前記選択された第２のメタデータと、前記検出された第１のメタデータとを比較する
ことを特徴とする請求項１記載の編集装置。
【請求項３】
前記報知部が、音声または表示部に表示される文字情報で前記警告を報知することを特徴とする請求項１または２に記載の編集装置。
【請求項４】
番組で使用される映像データまたは音声データを含む放送素材を記憶するサーバ装置と、前記放送素材を編集する編集装置とを備える編集システムであって、
前記編集装置が、
前記映像データまたは音声データを識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信する第1の受信部と、
前記サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示する第１の送信部と、
前記サーバ装置から送信された第２のメタデータを受信する第２の受信部と、
前記受信した第２のメタデータの一覧と、前記リストを表示する表示部と、
前記表示部に表示された第２のメタデータの一覧の中の１の第２のメタデータを選択する選択手段と、
前記選択手段によって１の第２のメタデータが選択されたことに対応して、前記選択された第２のメタデータと、前記リストの中の第１のメタデータとを比較する手段と、
前記比較の結果、前記第１、第２のメタデータが対応しなかった場合、警告を報知する報知部とを備え、
前記サーバ装置が、
前記第２のメタデータが付加された前記放送素材を記憶する記憶部と、
前記編集装置から前記第２のメタデータの送信を指示する信号を受信する第３の受信部と、
前記第２のメタデータの送信を指示する信号を受信したことに対応して、前記記憶部に記憶された映像素材に付加された第２のメタデータを前記編集装置に送信する第２の送信部と
を備えることを特徴とする編集システム。
【請求項５】
番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信するステップと、
サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示するステップと、
前記サーバ装置から送信された第２のメタデータを受信するステップと、
前記受信した第２のメタデータの一覧と、前記リストを表示するステップと、
前記表示部に表示された第２のメタデータの一覧の中の１の第２のメタデータの選択を受け付けるステップと、
前記選択手段によって１の第２のメタデータが選択されたことに対応して、前記選択された第２のメタデータと、前記リストの中の第１のメタデータとを比較するステップと、
前記比較の結果、前記第１、第２のメタデータが対応しなかった場合、警告を報知するステップと
を備える編集方法。
【発明の詳細な説明】
【技術分野】
【０００１】
本発明は、編集装置、編集システム及び編集方法に関する。
【背景技術】
【０００２】
従来、ＴＶ番組などに使われる映像データや音声データをコンピュータ上で編集して番組のオンエアー時に使用される映像素材を作成する編集装置が知られている。編集される映像データには、複数のデータをそれぞれ識別するためのＩＤ、撮影対象、撮影場所、撮影日時などを示すメタデータが付加されることがある(例えば、特許文献１参照)。
【先行技術文献】
【特許文献】
【０００３】
【特許文献１】特開２００６−４２３１７号公報
【発明の概要】
【発明が解決しようとする課題】
【０００４】
上記のような編集作業は、編集内容を示すリストに沿って行われることが多い。このリストには、編集対象となるデータを特定するための識別子や映像データのどこからどこまでを抜き出すかなどの情報が記載されている。
ここで、編集対象として選択したデータがリストに記載されている編集対象のデータと相違することがある。例えば、編集を行う者による映像データの選択ミスやリストに記載された情報に誤りがあった場合である。
ニュース番組に使用される映像データの編集時に選択した映像データと進行表に記載されている編集対象となる映像データと相違した場合、ニュース内容と、映像とが不一致の状態で放送される恐れがある。
本発明は、かかる従来の問題を解消すべくなされたもので、編集時に選択したデータとリストに記載されている編集対象となるデータとが相違することを報知可能な編集装置、編集システム及び編集方法を提供することを目的とする。
【課題を解決するための手段】
【０００５】
上記の目的を達成するために本発明の一態様にかかる編集装置は、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信する第1の受信部と、サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示する第１の送信部と、前記サーバ装置から送信された第２のメタデータを受信する第２の受信部と、前記受信した第２のメタデータの一覧と、前記リストを表示する表示部と、前記表示部に表示された第２のメタデータの一覧の中の１の第２のメタデータを選択する選択手段と、前記選択手段によって１の第２のメタデータが選択されたことに対応して、前記選択された第２のメタデータと、前記リストの中の第１のメタデータとを比較する手段と、前記比較の結果、前記第１、第２のメタデータが対応しなかった場合、警告を報知する報知部とを備える。
【０００６】
本発明の一態様にかかる編集システムは、番組で使用される映像データまたは音声データを含む放送素材を記憶するサーバ装置と、前記放送素材を編集する編集装置とを備える編集システムであって、前記編集装置が、前記映像データまたは音声データを識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信する第1の受信部と、前記サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示する第１の送信部と、前記サーバ装置から送信された第２のメタデータを受信する第２の受信部と、前記受信した第２のメタデータの一覧と、前記リストを表示する表示部と、前記表示部に表示された第２のメタデータの一覧の中の１の第２のメタデータを選択する選択手段と、前記選択手段によって１の第２のメタデータが選択されたことに対応して、前記選択された第２のメタデータと、前記リストの中の第１のメタデータとを比較する手段と、前記比較の結果、前記第１、第２のメタデータが対応しなかった場合、警告を報知する報知部とを備え、前記サーバ装置が、前記第２のメタデータが付加された前記放送素材を記憶する記憶部と、前記編集装置から前記第２のメタデータの送信を指示する信号を受信する第３の受信部と、前記第２のメタデータの送信を指示する信号を受信したことに対応して、前記記憶部に記憶された映像素材に付加された第２のメタデータを前記編集装置に送信する第２の送信部とを備える。
【０００７】
本発明の一態様にかかる編集方法は、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第１のメタデータを含み、前記放送素材の編集内容を示すリストを受信するステップと、サーバ装置に、番組で使用される映像データまたは音声データを含む映像素材を識別するための識別子、前記映像データまたは音声データの内容を示す情報、前記映像データまたは音声データの撮影日時、前記映像データまたは音声データの撮影場所を示す情報がそれぞれ対応付けられた第２のメタデータの送信を指示するステップと、前記サーバ装置から送信された第２のメタデータを受信するステップと、前記受信した第２のメタデータの一覧と、前記リストを表示するステップと、前記表示部に表示された第２のメタデータの一覧の中の１の第２のメタデータの選択を受け付けるステップと、前記選択手段によって１の第２のメタデータが選択されたことに対応して、前記選択された第２のメタデータと、前記リストの中の第１のメタデータとを比較するステップと、前記比較の結果、前記第１、第２のメタデータが対応しなかった場合、警告を報知するステップとを備える。
【発明の効果】
【０００８】
本発明によれば、編集時に選択したデータとリストに記載されている編集対象となるデータとが相違することを報知可能な編集装置、編集システム及び編集方法を提供することができる。
【図面の簡単な説明】
【０００９】
【図１】本発明の一つの実施の形態の編集システム１を示すブロック図。
【図２】映像や音声データの構成例を示す図。
【図３】編集リスト構成例を示す図。
【図４】編集リストに付加された編集内容を示す図。
【図５】報道情報端末１０〜スイッチャ８０に共通する構成を示すブロック図。
【図６】ニュース素材サーバ３０が備える制御部３１の機能を示すブロック図。
【図７】ノンリニア編集機４０が備える制御部４１の機能を示すブロック図。
【図８】表示部４３の表示の一例を示す概念図。
【図９】ノンリニア編集機４０による放送素材編集時の動作を示すフローチャート。
【発明を実施するための形態】
【００１０】
（第１の実施の形態）
（編集システム１の説明）
以下、本発明を実施するための最良の形態を図面に基づき説明する。図１は本発明の一つの実施の形態の編集システム１を示すブロック図である。
図１に示すように編集システム１は、報道情報端末１０、素材収録端末２０、ニュース素材サーバ３０、ノンリニア編集機４０、ニュース送出サーバ５０、報道情報端末６０送出コントローラ７０、及びスイッチャ８０から構成される。
この実施の形態では、編集システム１は、ニュース番組放送用のシステムとして運用される。ただし、編集システム１は、他の番組（例えば、バラエティ）放送用のシステムとして運用することもできる。
編集システム１は、情報送出システム２に接続される。情報送出システム２は、編集システム１での番組放送及び編集システム１以外の他の編集システムでの番組放送を一括して管理するシステムである。
【００１１】
報道情報端末１０〜スイッチャ８０は、それぞれＬＡＮ（Local Area Network）、ＷＡＮ（Wide Area Network）、インターネット、ＨＤ／ＳＤ−ＳＤＩ信号(ベースバンド信号)などのネットワーク９０で接続される。
報道情報端末１０〜スイッチャ８０において、各装置間でニュース番組のオンエアー（以下、オンエアーを単にＯＡと称す。）時に使用される情報が送受信される。
例えば、それぞれの装置間において、キューシート、放送素材（取材により得られた映像データや音声データ）、ＯＡ用素材、映像や音声データを他の装置に記録または出力させる信号、編集リストなどが送受信される。
【００１２】
キューシートは、番組の開始から終了までの構成が秒単位で記された番組の時間割表であり、所定の時間に流す映像の内容やこの映像の素材ＩＤなどが記載される。この実施の形態のキューシートは、報道情報端末１０〜スイッチャ８０で処理可能な電子データである。キューシートには、映像に使用された画像などの放送素材を取得（取材）した日時、取材した場所、取材項目などの情報がメタデータして付加されることもある。素材ＩＤは、複数の放送素材をそれぞれ識別するための識別子である。
ＯＡ用素材は、取材で得られた放送素材を元にノンリニア編集機４０によって編集され、番組内でＯＡされる映像や音声である。ここで「編集」とは、映像のカット、テロップなどの文字映像との合成などを指す。編集作業は、編集リストに基づいて行われる。
【００１３】
図２ないし図４を参照して、映像や音声データ及び編集リストについて詳細に説明する。
図２は映像や音声データの構成例を示す図である。図３は編集リスト構成例を示す図である。図４は編集リストに付加された編集内容を示す図である。
図２に示すように、放送素材をなす映像や音声データには、素材ＩＤ、日時、取材項目、素材元、取材場所などのメタデータが付加される。このメタデータには、作業者が任意に設定できるメッセージが含まれることもある（図中の「その他」）。
日時は、放送素材の取材が行われた日付をさす。また、日時は、放送素材がニュース素材サーバ３０に記憶された日付の場合もある。この場合の日時は、ニュース素材サーバ３０が計時する日付である。
【００１４】
取材項目は、番組でＯＡされる映像や音声の内容を示す。例えば、「住民インタビュー」、「火事の現場収録」などと表わされる。
素材元は、放送素材が、撮像装置から取り込まれたものか、または他局からネットワーク９０を通じて送信されてきたものであるのかを示す情報である。例えば、放送素材が撮像装置から取り込まれたことを示す「ＶＴＲ（Video Tape Recorder）」、ネットワーク９０を介して他局から得たことを示す「回線」などと表わされる。
取材場所は、放送素材を収録した場所を示す情報である。例えば、都道府県や市町村を示す情報である。
【００１５】
図３に示すように、編集リストには、素材ＩＤ、編集内容、日時、取材項目、素材元、取材場所を示す情報がメタデータとして付加される。編集リストの編集内容及び報道内容以外の内容、すなわち、素材ＩＤ、編集内容、日時、取材項目、素材元、取材場所の情報は、映像や音声データに含まれるメタデータに対応する。編集リストは、報道情報端末６０を用いて作成することができる。
【００１６】
図４に示すように、編集リストに付加された編集内容は、放送素材の具体的な編集内容を示す情報である。例えば、編集リストには、使用順、開始時間、終了時間、付加テロップ、付加音、効果などの情報が含まれる。なお、ここでは、説明を解りやすくするため、一例として素材ＩＤ＝ＸＸ１についてのみ図示している。その他の素材ＩＤについてもそれぞれ編集内容が付加される。使用順は、番組ＯＡ時に放送される順番である。
開始時間及び終了時間は、放送素材の表示の開始時間及び終了時間を示す。例えば、放送素材が３分の映像データだった場合、使用順１において、開始時間＝0：00：00、終了時間＝0：00：15というように記載される。これは、映像素材の始まりから15秒目までが使用順１のデータであることを示す。
また、例えば、放送素材が写真などの静止画であった場合に使用順１において、開始時間＝0：00：00、終了時間＝0：00：15というように記載される。この場合は、静止画を１５秒表示することを示す。
付加テロップは、番組ＯＡ時にＴＶに表示されるテロップの内容が記述される。例えば、映像中の人物の名前である。付加音は、番組ＯＡ時に発音される効果音などを示す。効果は、例えば、放送素材の色反転や、白黒表示、フェード効果などの特殊効果を示す。
【００１７】
次に図５ないし図７を用いて報道情報端末１０〜スイッチャ８０について説明する。
図５は報道情報端末１０〜スイッチャ８０に共通する構成を示すブロック図である。図６はニュース素材サーバ３０が備える制御部３１の機能を示すブロック図である。図７はノンリニア編集機４０が備える制御部４１の機能を示すブロック図である。
【００１８】
（各装置に共通する説明）
図５に示すように報道情報端末１０〜スイッチャ８０はそれぞれ同様のハードウェアによって構成される。例えば、報道情報端末１０は、制御部１１、入力部１２、表示部１３、情報送受信部１４、記憶部１５を備える。報道情報端末１０と同様に、素材収録端末２０〜スイッチャ８０は、それぞれ制御部２１…８１、入力部２２…８２、表示部２３…８３、情報送受信部２４…８４、記憶部２５…８５を備える。
【００１９】
入力部１２は、例えば、キーボードやこのキーボードに準じるボタン群、表示部１３に表示されるカーソルを移動させるためのマウスなどのポインタデバイスある。入力部２２…８２も入力部１２と同様であり、それぞれキーボードや、それぞれ表示部２３…２８に表示されるカーソルを移動させるためのポインタデバイスなどである。
制御部１１は入力部１２、表示部１３、情報送受信部１４及び記憶部１５をそれぞれ制御する。制御部１１は、入力部１２の操作に対応するカーソルの移動の認識、カーソルの移動の制御、キーの押下操作の認識などを行う。
制御部１１と同様に、制御部２１…８１は、入力部２２…８２、表示部２３…８３、情報送受信部２４…８４をそれぞれ制御する。
【００２０】
表示部１３…８３は、画像や文字を表示する装置、例えば、ＣＲＴ（Cathode Ray Tube）やＬＤＣ（Liquid Crystal Display）である。なお、表示部１３…８３はそれぞれ各装置に内蔵されるもの、内蔵されないものがある。したがって、例えば、ニュース素材サーバ３０やニュース送出サーバ５０が、表示部３３、５３を備えないこともある。
情報送受信部１４…８４は、各装置間を接続するＬＡＮポートや撮像装置などが接続されるポート（例えばＵＳＢ規格やＩＥＥＥ規格、その他、所定の機器の接続用の規格に準ずるポート）を備えるインターフェースである。情報送受信部１４…８４を介して、機器間で映像データなどが送受信される。
記憶部１５…８５は、ＨＤＤ（Hard disk drive）やＲＡＭ（Random Access Memory）を備える記録媒体である。
【００２１】
（報道情報端末１０の説明）
報道情報端末１０は、ＯＡ時に表示される放送素材のスケジュールを管理する端末である。すなわち、何月何日に何処に何を取材しに行くを管理する。
表示部１３には、取材項目、取材場所、取材日時を入力するための入力フォームや入力部１２の操作により移動可能なポインタ（例えば、マウスカーソル）、このポインタで選択可能なボタンなどが表示される。制御部１１は、表示部１３に表示された入力フォームのレイアウトやポインタの動作を認識できる。
【００２２】
入力フォームに入力された取材項目、取材場所、取材日時には素材ＩＤが対応付けられる。取材項目、取材場所、取材日時の入力及び入力されたこれらの情報に対する素材ＩＤの対応付けには種々の方法がある。
以下、取材項目、取材場所、取材日時の入力及び素材ＩＤの対応付けの例として入力例ＡないしＣを説明する。
なお、入力例ＡないしＣのいずれかの方法であっても、作業者が入力部１２を操作することでデータを入力することで取材項目、取材場所、取材日時が設定される。ここで「入力部を操作する」とは、例えば、キーボードによる文字の入力やマウスによるアイコンの指定、アイコンのドラッグ＆ドロップなどを行うことである。
【００２３】
（入力例Ａ）
例えば、表示部１３に表示された入力フォームが、素材ＩＤ、取材項目、取材場所、取材日時をそれぞれ対応させて入力可能な入力欄を備える場合がある。
この場合、作業者は、各入力欄にそれぞれ所定の情報を入力する。各入力欄にそれぞれの情報が入力された場合、制御部１１は、認識している入力フォームのレイアウトに基づいて、入力された素材ＩＤ、取材項目、取材場所、取材日時を対応付けたテーブルＴ１を作成する。
【００２４】
（入力例Ｂ）
例えば、表示部１３に表示された入力フォームが、取材項目、取材場所、取材日時をそれぞれ対応させて入力可能な入力欄及びこれらの入力欄に対応して配置され、あらかじめ所定の素材ＩＤが表示された素材ＩＤ表示欄を備える場合がある。このとき、制御部１１は、入力フォームのレイアウトに基づいて、素材ＩＤ表示欄に表示されている素材ＩＤを認識している。
作業者は、所定の素材ＩＤと対応する各入力欄に任意の取材項目、取材場所、取材日時を入力する。取材項目、取材日時、取材場所がそれぞれ入力された場合、制御部１１は、認識している入力フォームのレイアウトに基づいて、入力された各項目及び素材ＩＤを対応付けたテーブルＴ１を作成する。
【００２５】
（入力例Ｃ）
例えば、表示部１３に表示された入力フォームが、取材項目、取材場所、取材日時をそれぞれ対応させて入力可能な入力欄及びこの入力欄に対応して配置され、取材項目などの入力後に素材ＩＤが自動的に表示される素材ＩＤ表示欄を備える場合がある。
なお、この入力例Ｃでは、素材ＩＤが、使用済または使用可能を示す情報とともにリスト形式で記憶部１５に記憶されているものとする。
制御部１１は、所定の入力欄に取材項目などが入力された場合、このリストの使用可能を示す情報に対応する素材ＩＤを適宜読み出し、読み出した素材ＩＤを、入力された取材項目に対応する素材ＩＤ表示欄に表示させる。このとき、制御部１１は、読み出した素材ＩＤに使用済みを示す情報が対応するようにリストを更新する。また、制御部１１は、認識している入力フォームのレイアウトに基づいて、入力欄に入力された各項目と素材ＩＤとを対応付けたテーブルＴ１を作成する。
【００２６】
入力例ＡないしＣのいずれかの方法によって、制御部１１が作成したテーブルＴ１は、記憶部１５に一時的に記憶させることができる。制御部１１が生成したテーブルＴ１は、情報送受信部１４を介して素材収録端末２０及び報道情報端末６０に送信される。
以上のように報道情報端末１０にて、決定された取材項目、取材場所、取材日時に対応して番組でＯＡされる放送素材の収録（取材）が行われる。そして、この画像や音声を個別に管理するための素材ＩＤを入力、または自動的に設定することができる。
【００２７】
（素材収録端末２０の説明）
素材収録端末２０は、取材済みの放送素材や、他局からネットワークを介して受信した放送素材をニュース素材サーバ３０に記憶させるための端末である。
情報送受信部２４には、取材された放送素材を収録した機器（撮像装置や記憶媒体）、他局から放送素材を受信するためのケーブルが接続される。
また、情報送受信部２４には、報道情報端末１０からテーブルＴ１が入力される。情報送受信部２４が受信した情報は、制御部２１の制御によって記憶部２５に記憶される。
制御部２１は、記憶部２５にテーブルＴ１を記憶させるとともに、表示部２３に、テーブルＴ１の内容を表示させる。すなわち、表示部２３には、素材ＩＤ、日時、取材項目、素材元、取材場所が表示される。
【００２８】
入力部２２の所定の操作により、収録された放送素材または他局から受信した放送素材を取り込むことができる。
さらに、この放送素材の取り込み時に入力部２２を用いて、素材元を示す情報を入力することができる。制御部２１は、テーブルＴ１に入力された素材元を示す情報を付加する。素材元を示す情報は、自動的に付加することもできる。すなわち、制御部２１が、情報送受信部２４を監視することによって、放送素材を収録した機器から放送素材を受信したのか、他局から放送素材を受信したのかを判定し、テーブルＴ１に付加する。
また、放送素材を取り込む際、入力部２２を操作してこれから取り込む放送素材の素材ＩＤ、日時、取材項目、素材元、取材場所を入力または表示部２３に表示されたテーブルＴ１の内容をマウスなどのポインタデバイスで選択することにより、取りこまれる放送素材にテーブルＴ１がメタデータとして付加される。
テーブルＴ１の内容がメタデータとして付加された放送素材は、情報送受信部２４を介してニュース素材サーバ３０に送信される。
【００２９】
以上のように素材収録端末２０によれば、収録または回線を通して受信された放送素材、に対して、報道情報端末１０から受信したテーブルＴ１を付加することができる。このことにより、収録または回線を通して受信された複数の放送素材をそれぞれ区別しやすくなる。
【００３０】
（ニュース素材サーバ３０の説明）
ニュース素材サーバ３０は、放送素材及びＯＡ用素材を保持する端末である。
情報送受信部３４には、素材収録端末２０から送信された放送素材が入力される。また、情報送受信部３４には、ノンリニア編集機４０から送信された放送素材の送信を指示する信号やテーブルＴ１の送信を指示する信号、ニュース送出サーバ５０へのＯＡ用素材の送信を指示する信号が入力される。
情報送受信部３４に入力された放送素材は、制御部３１の制御によって記憶部３５に記憶される。
【００３１】
図６に示すように、制御部３１は、メタデータ制御部３１２、画像データ縮小部３１３、信号解析部３１４、画像データ編集部３１５、ＯＡ用素材送信部３１６を備える。
メタデータ制御部３１２は、放送素材に付加されたメタデータであるテーブルＴ１を読み出して、ノンリニア編集機４０に送信する。具体的には、メタデータ制御部３１２は、ノンリニア編集機４０から、テーブルＴ１の送信を示す信号を受信したことに対応して記憶部３５に記憶された放送素材を読み出し、この読み出した放送素材に付加されたテーブルＴ１を検出する。そして検出したテーブルＴ１をノンリニア編集機４０に送信する。
【００３２】
画像データ縮小部３１３は、画像データの解像度を変換する変換部である。すなわち、画像データ縮小部３１３は、ノンリニア編集機４０から、放送素材の送信を示す信号を受信したことに対応して記憶部３５に記憶された画像データを低解像度の画像データに変換する。低解像度に変換される画像データは、記憶部３５に記憶されていた画像データから生成されたコピーデータであることが望ましい。
なお、記憶部３５には、画像データや音声データが混じって記憶されているので、画像データ縮小部３１３は、画像データと音声データを識別する必要がある。これらは、各データに設定された拡張子を検出することによって識別可能である。
【００３３】
信号解析部３１４は、情報送受信部３４を介して受信した種々の信号に沿った処理を行う。例えば、情報送受信部３４を介して受信した信号がノンリニア編集機４０への放送素材の送信を示す情報だった場合、記憶部３５に保持された放送素材を読み出し、画像データ縮小部３１３を制御して放送素材の解像度を変換させる。さらに、信号解析部３１４は、メタデータ制御部３１２を制御して、読み出した放送素材のテーブルＴ１を検出させる。信号解析部３１４は、解像度が変換された映像データ及び検出されたテーブルＴ１をノンリニア編集機４０に送信する。
また、例えば、信号解析部３１４は、情報送受信部３４を介して受信した信号が素材収録端末２０からのニュース素材の記憶の開始を指示するものだった場合、同様に情報送受信部３４を介して受信した放送素材を記憶部３５に記憶させる。
さらに、情報送受信部３４を介して受信した信号がＯＡ用素材の送信を指示するものだった場合、記憶部３５に記憶されたＯＡ用素材をニュース送出サーバ５０に送信する。
【００３４】
画像データ編集部３１５は、放送素材の編集処理を行いＯＡ用素材を生成する。例えば、ノンリニア編集機４０から送信された、映像データの開始時間を示す時間情報、映像データの終了時間を示す時間情報を受信したことに対応して、開始時間、終了時間に対応する映像データのみを含むＯＡ用素材を生成する。
すなわち、画像データ編集部３１５は、ノンリニア編集機４０の指示に基づいて画像データなどの編集を行う。
画像データ編集部３１５は、生成したＯＡ用素材を記憶部３５に記憶させる。
ＯＡ用素材送信部３１６は、ノンリニア編集機４０からのＯＡ用素材の送信の指示を示す信号を受信したことに対応して、ニュース送出サーバ５０に対して記憶部３５に記憶されたＯＡ用素材を送信する。ＯＡ用素材は情報送受信部３４を介してニュース送出サーバ５０に送信される。
【００３５】
以上のようにニュース素材サーバ３０によれば、素材収録端末２０から受信した放送素材を保持する。そして、ノンリニア編集機４０に対してテーブルＴ１を送信する。また、ノンリニア編集機４０の指示に基づいて放送素材からＯＡ用素材を生成できる。
【００３６】
（ノンリニア編集機４０の説明）
ノンリニア編集機４０は、ニュース素材サーバ３０に対して、放送素材の編集を指示する端末である。
情報送受信部４４には、報道情報端末６０から送信された編集リスト、ニュース素材サーバ３０から送信された放送素材、この放送素材に対応付けられたテーブルＴ１が入力される。表示部４３にはＯＡ用素材を生成するための後述する編集画像が表示される。編集を行う作業者は表示された編集画面を参照しながら放送素材の編集を行う。
図７に示すように、制御部４１は、入力情報制御部４１１、メタ情報解析部４１２、メタ情報照合部４１３、報知部４１４を備える。
【００３７】
入力情報制御部４１１は、表示部４３上に編集画面を表示させる。入力情報制御部４１１は、表示部４３に表示された編集画面のレイアウトやポインタの動作、ポインタによる放送素材の選択や、編集リストの内容の選択を認識できる。
入力情報制御部４１１は、編集画面上での放送素材の編集操作を認識し、映像データの開始時間や終了時間などの情報をニュース素材サーバ３０に送信する。また、入力情報制御部４１１は、ニュース素材サーバ３０に対して、ニュース送出サーバ５０へのＡＯ用素材の送信を指示する信号を送信する。この信号は、放送素材の編集が終了したときに送信される。
メタ情報解析部４１２は、報道情報端末６０から受信した編集リストに含まれるメタデータを解析し、保持する。なお、解析したメタデータは記憶部４５に保持させることもできる。さらに、メタ情報解析部４１２は、入力部４２で選択された放送素材に対応するテーブルＴ１の送信を指示する信号をニュース素材サーバ３０に送信し、かつこの信号の応答であるテーブルＴ１を情報送受信部４４を介して取得する。メタ情報解析部４１２は、取得したテーブルＴ１を編集画面の一部として表示させる。
また、メタ情報解析部４１２は、解析したメタデータと、受信したテーブルＴ１に含まれる各情報をメタ情報照合部４１３に照合させる。
【００３８】
メタ情報照合部４１３は、解析したメタデータと、受信したテーブルＴ１に含まれる各情報を照合し、メタデータの差異の有無を検出する。
報知部４１４は、メタ情報照合部４１３による照合の結果、選択された編集リストと、放送素材のテーブルＴ１とで相違点があった場合、相違点があることを報知する。例えば、表示部４３に相違点がある旨を表示させる。また、報知部４１４は、図示はしないスピーカに接続され、音声によって報知することもできる。
【００３９】
（ニュース送出サーバ５０の説明）
ニュース送出サーバ５０は、ＯＡ用素材を記憶する端末である。ＯＡ用素材は、記憶部５５に記憶される。
情報送受信部５４には、ノンリニア編集機４０から送信されたＯＡ用素材の記録を指示する信号が入力される。また、情報送受信部５４には、ニュース素材サーバ３０から出力されたＯＡ用素材が入力される。情報送受信部５４には、送出コントローラ７０からのＯＡ用素材送信の指示を示す信号が入力される。
ニュース送出サーバ５０は、送出コントローラ７０から、記録したＯＡ用素材の送信を指示する信号を情報送受信部５４を介して受信する。ニュース送出サーバ５０は、ＯＡ用素材の送信を指示する信号の受信に基づいて、記憶部５５に記憶されたニュース素材をスイッチャ８０に送信する。
【００４０】
（報道情報端末６０の説明）
報道情報端末６０は、キューシート及び編集リストを作成するための端末である。
情報送受信部６４には、報道情報端末１０から送信されたテーブルＴ１が入力される。
キューシート及び編集リストの作成者は、表示部６３に表示されたテーブルＴ１を参照して編集リスト及びキューシートを作成する。
また、情報送受信部６４には、入力部６２の操作に対応して、ニュース素材サーバ３０に記憶された放送素材が入力されることもある。キューシート及び編集リストの作成者は、表示部６３に表示された放送素材を参照して、放送素材をどう編集するかなどを考え、編集リスト及びキューシートを作成することもある。
報道情報端末６０にて作成したキューシートは、情報送受信部６４を介して、送出コントローラ７０に送信される。また、情報送受信部６４を介して編集リストがノンリニア編集機４０に送信される。
【００４１】
（送出コントローラ７０の説明）
送出コントローラ７０は、編集システム１の後段に配置される情報送出システム２に対してＯＡ映像を送出する。
送出コントローラ７０は、収録番組などの予行であるリハーサル放送、実際に放送される本放送の制御を行う装置である。リハーサル放送、本放送は、共に情報送受信部７４を介して報道情報端末６０から受信したキューシートに基づいて行われる。
送出コントローラ７０は、キューシートに基づいて、スイッチャ８０を制御する。
情報送出システム２は、放送局の番組及び、他の番組、例えばバラエティ、映画などの放送を総括して管理するものである。
【００４２】
（スイッチャ８０の説明）
スイッチャ８０は、ＯＡされる映像や音声を切り替える装置である。スイッチャ８０は、映像や音声などの切り替えを示す信号を情報送受信部８４を介して送出コントローラ７０から受信する。また、スイッチャ８０は、ＯＡされる映像に対してさらに文字や図形を重畳することもある。
【００４３】
次に図８を参照して、ノンリニア編集機４０の表示部４３に表示される編集画面を説明する。図８は表示部４３の表示の一例を示す概念図である。
同図に示すように表示部４３は放送素材表示画面４３１、編集リスト表示画面４３２、放送素材一覧表示画面４３３を有している。表示部４３には、入力部４２の操作に対応して動作するポインタ４３４が表示される。
【００４４】
放送素材表示画面４３１にはニュース素材サーバから送信された低解像度の静止画や動画が表示される。映像の編集を行う者は、この放送素材表示画面４３１を参照しながら編集を行う。放送素材表示画面４３１にはポインタ４３４で選択可能な静止画や動画情報などの再生、停止、コマ送り、コマ戻し、一時停止、切り取り箇所指定のためのボタン群４３１ａが表示される。
また、放送素材表示画面４３１には編集リストと、ポインタ４３４で選択した放送素材と差異情報が表示される。例えば、対応しない「対応しない素材が選択されました」などと表示される。
【００４５】
編集リスト表示画面４３２には報道情報端末６０から受信した編集リストが表示される。編集を行う者は、この編集リスト表示画面４３２に表示された編集リストを参照しながら放送素材の編集を行う。
放送素材一覧表示画面４３３には、ニュース素材サーバ３０に保存された放送素材の一覧が表示される。具体的には、各放送素材に対応付けられたテーブルＴ１が表示される。
編集を行う者は、編集リスト表示画面４３２に表示された編集リストを参照したのち、編集を行いたい放送素材をポインタ４３４で選択する。
【００４６】
次に図９を用いてノンリニア編集機４０による放送素材編集時の動作について説明する。図９はノンリニア編集機４０による放送素材編集時の動作を示すフローチャートである。
以下の説明では、図８に示す編集画面が既に表示されており、新たに報道情報端末６０から送信された編集リスト及びニュース素材サーバ３０から送信されたＴ１を受信した場合を説明する。
【００４７】
（１）編集リスト、テーブルＴ１の受信（ステップＳ１０１）
まず、ノンリニア編集機４０に対して報道情報端末６０から編集リストが送信される。入力情報制御部４１１は、受信した編集リストを、表示部４３の編集リスト表示画面４３２に表示させる。
ノンリニア編集機４０は、ニュース素材サーバ３０に対してテーブルＴ１の送信を示す信号を送信この信号の応答であるテーブルＴ１を受信する。そして、入力情報制御部４１１は、受信したテーブルＴ１の一覧（すなわち、放送素材の一覧）を作成し、表示部４３の放送素材一覧表示画面４３３に表示させる。
（２）メタ情報解析（ステップＳ１０２）
編集リストを表示部４３に表示させたことに対応して、メタ情報解析部４１２が、編集リストに含まれるメタデータを解析し、保持する。
（３）入力部４２による放送素材の選択動作（ステップＳ１０３）
ここで、編集を行う者は入力部４２を操作し、編集リスト表示画面４３２に表示された編集リストに基づいて、放送素材一覧表示画面４３３に表示された放送素材の一覧から、所望の放送素材を選択する。
【００４８】
（４）テーブルＴ１参照（ステップＳ１０４）
入力部４２の操作によって所定の放送素材が選択されたことに対応して、メタ情報解析部４１２はテーブルＴ１を解析し、メタ情報を抽出する。
メタ情報解析部４１２は、選択された放送素材に対応付けられた素材ＩＤと対応する素材ＩＤを編集リストの中から検出する。さらにメタ情報解析部４１２は、検出した素材ＩＤに対応するメタ情報を編集リストから抽出する。
（５）メタ情報照合（ステップＳ１０５、Ｓ１０６）
メタ情報照合部４１３は、メタ情報解析部４１２が抽出した、テーブルＴ１のメタ情報と、編集リストのメタ情報を照合し、両者に差異が有るか否かを判定する。
（６）差異の報知（ステップＳ１０６のＹｅｓ、ステップＳ１０７）
ステップＳ１０６において、照合したメタ情報同士に差異があった場合、報知部４１４が表示部４３に相違点がある旨を表示させる。
（７）処理の終了（ステップＳ１０６のＮｏ）
ステップＳ１０６において、照合したメタ情報同士に差異がなかった場合、報知部４１４による表示部４３への表示などの処理を行わずにこの処理を終了する。
【００４９】
以上説明したように、この実施の形態の編集システム１によれば、編集リストのメタ情報と、入力部４２によって選択された放送素材のメタ情報とを照合した際に、メタ情報に差異があった場合、差異がある旨を報知することができる。
この実施の形態に係る編集システム１によれば、放送素材に付加される情報に基づいて、編集リストが作成されるため、通常、放送素材のテーブルＴ１と編集リストに含まれるメタ情報の差異は存在しない場合が多い、すなわち、メタ情報の差異が報知された場合には、編集リストの作成に手違いがあった可能性が高い。したがって、放送素材の編集を行う者は、メタ情報の差異の報知があった場合には、編集リストの内容をチェックする必要がある。換言すれば、メタ情報の差異の報知によって、編集リストの内容のチェックを編集を行うものに促すことができる。
【００５０】
なお、番組制作の際には、まず編集リスト及びキューシートを作成してからどのような放送素材を撮影するかを決定することもある。このような場合には、編集リスト及びキューシートの作成段階で素材ＩＤ、日時、取材項目、素材元、取材場所などが決定される。
すなわち、報道情報端末１０で入力される情報は、編集リスト及びキューシートの作成段階で決定されたものであり、ノンリニア編集機４０において差異の報知がされた場合には、報道情報端末１０での各情報の入力に誤りがあったことになる。
また、番組制作の際には、番組のプロットを作成し、このプロット作成の際に素材ＩＤ、日時、取材項目、素材元、取材場所を決定する場合もある。この場合、報道情報端末１０での各情報の入力、編集リスト及びキューシートの作成はプロットに基づいて行われる。
【００５１】
以上、本発明の一態様に係る編集システム１について説明したが、本発明は以上の実施の形態にのみ限定されるものではなく、その要旨を逸脱しない範囲で種々変更可能である。また、上記実施形態に開示されている複数の要素を適宜組み合わせることにより、種々の発明を構成することができる。
（変更例１）
例えば、図７に示す機能を送出コントローラ７０が備えることができる。この場合には、送出コントローラ７０は、ＯＡ素材に付加されたテーブルＴ１と、報道情報端末６０から受信したキューシートに含まれるメタ情報との照合を行う。この照合は、例えばリハーサル放送時や、ノンリニア編集機４０での編集作業終了時に行う。照合の結果は、表示部７３に表示される。
送出コントローラ７０においてメタ情報の照合を行うことで、キューシートが誤って作成されていないか否かを報知することができる。
例えば、編集リストに替えて、キューシートを表示部４３に表示させるようにすることもできる。
【００５２】
（変更例２）
上記実施の形態では、入力部４２を用いて、放送素材の選択のみを行い、この選択された放送素材のテーブルＴ１と、編集リストのメタ情報とを照合した。放送素材の選択を行う前に、編集リストのメタ情報を選択し、次いで放送素材の選択を行うことによって、選択された編集リストのメタ情報と、放送素材のメタ情報とを比較するようにしてもよい。
例えば、編集リストの内容と放送素材のテーブルＴ１の情報とが同一の場合がある。すなわち、編集リストが間違いなく作成されている場合である。
このとき、編集を行う者が、編集を行いたいと考える放送素材の選択を誤ることがある。例えば、編集対象となる放送素材のすぐ下に表示された放送素材を間違って選択する場合である。
放送素材の選択を行う前に、編集リストのメタ情報を選択し、次いで放送素材の選択を行った場合、選択された編集リストのメタ情報と、次いで選択された放送素材のメタ情報との差異が報知される。すなわち、編集対象となる放送素材のすぐ下に表示された放送素材を間違って選択した場合に差異が報知されることになる。したがって、編集を行う者は自分の選択ミスを即座に知ることができる。
【符号の説明】
【００５３】
１…編集システム、２０…素材収録端末、３０…ニュース素材サーバ、３１２…メタデータ制御部、３１３…画像データ縮小部、３１４…信号解析部、３１５…画像データ編集部、３１６…用素材送信部、４０…ノンリニア編集機、４１１…入力情報制御部、４１２…メタ情報解析部、４１３…メタ情報照合部、４１４…報知部、４３１…放送素材表示画面、４３１ａ…ボタン群、４３２…編集リスト表示画面、４３３…放送素材一覧表示画面、４３４…ポインタ、５０…ニュース送出サーバ、７０…送出コントローラ、８０…スイッチャ、９０…ネットワーク、１１〜８１…制御部、１２〜８２…入力部、１３〜８３…表示部、１４〜８４…情報送受信部、１５〜８５…記憶部。
【図１】
2010219771.tif 000003
【図２】
2010219771.tif 000004
【図３】
2010219771.tif 000005
【図４】
2010219771.tif 000006
【図５】
2010219771.tif 000007
【図６】
2010219771.tif 000008
【図７】
2010219771.tif 000009
【図８】
2010219771.tif 000010
【図９】
2010219771.tif 000011